(57)【特許請求の範囲】
【請求項１】
上面にシートが積載される底部と、
前記底部に対して第１方向に沿って移動可能とされ、前記シートの端縁に当接することで、前記シートの前記第１方向における位置を規制するカーソルと、
前記底部に前記第１方向に延びるように配置され、所定のピッチで連続したギア歯が形成され、前記カーソルの前記第１方向における位置を固定する固定用ラックと、
を有し、
前記カーソルは、前記固定用ラックの前記ギア歯と係合可能な係合突起を備え、
前記固定用ラックは、
複数種の定型サイズに対応して、前記第１方向に間隔をおいて配置された複数の第１規制部と、
前記第１規制部の間に配置された第２規制部と、
を備え、
前記第２規制部は、前記所定のピッチのギア歯の一部のピッチが部分的に異なるギア歯を備え、
前記カーソルの前記係合突起は、前記第１方向において所定のピッチで配置された２つの歯からなり、
前記複数の第１規制部のうち、
一の第１規制部は、前記第１方向に所定のピッチで配置された複数の前記ギア歯からなり、
他の第１規制部は、一つの前記ギア歯からなることを特徴とする給紙カセット。
【請求項２】
上面にシートが積載される底部と、
前記底部に対して第１方向に沿って移動可能とされ、前記シートの端縁に当接することで、前記シートの前記第１方向における位置を規制するカーソルと、
前記底部に前記第１方向に延びるように配置され、所定のピッチで連続したギア歯が形成され、前記カーソルの前記第１方向における位置を固定する固定用ラックと、
を有し、
前記カーソルは、前記固定用ラックの前記ギア歯と係合可能な係合突起を備え、
前記固定用ラックは、
複数種の定型サイズに対応して、前記第１方向に間隔をおいて配置された複数の第１規制部と、
前記第１規制部の間に配置された第２規制部と、
を備え、
前記第２規制部は、前記所定のピッチのギア歯の一部のピッチが部分的に異なるギア歯を備え、
前記カーソルの前記係合突起は、前記第１方向において所定のピッチで配置された２つの歯からなり、
前記複数の第１規制部は、前記第１方向に沿って隣接して配置された２つの規制部を備え、
前記２つの規制部の間には、前記第２規制部が配置されておらず、
前記２つの規制部は、いずれも一つの前記ギア歯からなることを特徴とする給紙カセット。
【請求項３】
前記固定用ラックの前記ギア歯は、
前記カーソルから前記シートの端縁に向かう方向に沿って先上がりの第１傾斜面と、
前記第１傾斜面の頂点から下方に延びる第１壁面と、
を備え、
前記係合突起は、
鉛直方向に沿って延びる第２壁面と、
前記第２壁面の下端部に連結され、前記カーソルから前記シートの端縁に向かう方向に沿って先上がりの第２傾斜面と、
を備えることを特徴とする請求項１または２に記載の給紙カセット。
【請求項４】
前記カーソルは、
前記シートの前記端縁に当接し、前記シートの前記第１方向における位置を規制する規制部材と、
前記第１方向と交差する方向に延びる軸部と、前記軸部よりも下方に配置された前記係合突起とを備え、前記軸部回りに回動可能に前記規制部材に支持されたロック部材と、
前記軸部よりも上方において前記規制部材と前記ロック部材との間で圧縮して配置される付勢部材と、
を備え、 
前記付勢部材の付勢力によって、前記ロック部材に前記軸部回りの回転力が付与され、前記固定用ラックの前記ギア歯と前記ロック部材の前記係合突起とが係合することで、前記カーソルの前記第１方向における位置がロックされ、当該カーソルのロック状態では、前記軸部よりも上方において前記規制部材と前記ロック部材とが当接していないことを特徴とする請求項１乃至３の何れか１項に記載の給紙カセット。
【請求項５】
請求項１乃至４の何れか１項に記載の給紙カセットと、
前記給紙カセットが装着される筐体と、
前記筐体に配置され、前記給紙カセットから給紙された前記シートに画像を形成する画像形成部と、
を有することを特徴とする画像形成装置。
【発明の詳細な説明】
【技術分野】
【０００１】
本発明は、給紙カセット、およびこれを備えた画像形成装置に関する。
【背景技術】
【０００２】
従来、シートが積載される給紙カセットとして画像形成装置に備えられたものが知られている。給紙カセットは、画像形成装置の装置本体に対して、所定の方向に沿って装着可能とされる。特許文献１に記載された給紙カセットは、シート収容部と、シートの位置を規制するカーソルとを備える。シート収容部にさまざまなサイズのシートが積載されるために、カーソルはシート収容部内でスライド移動可能とされる。
【先行技術文献】
【特許文献】
【０００３】
【特許文献１】特開２０１４−１６２５６２号公報
【発明の概要】
【発明が解決しようとする課題】
【０００４】
特許文献１に記載された技術では、カーソルの突起部が、給紙カセットの底部に連続的に備えられたラックのラック歯に係合することで、カーソルの位置が規制される。ラック歯のピッチは一定に形成されているため、定型サイズのシートが収容される際に、シートのサイズとラックの位置とが充分一致せず、シートの位置決めが精度良く実現されないという問題があった。
【０００５】
本発明は、上記問題に鑑みてなされたものであり、定型およびその他のサイズのシートの位置を規制することが可能であり、定型サイズの規制位置の精度が向上された給紙カセットおよびこれを備えた画像形成装置を提供することを目的とする。
【課題を解決するための手段】
【０００６】
本発明の一局面に係る給紙カセットは、上面にシートが積載される底部と、前記底部上を第１方向に沿って移動可能とされ、前記シートの端縁に当接することで、前記シートの前記第１方向における位置を規制するカーソルと、前記底部に前記第１方向に延びるように配置され、所定のピッチで連続したギア歯が形成され、前記カーソルの前記第１方向における位置を固定する固定用ラックと、を有し、前記カーソルは、前記固定用ラックの前記ギア歯と係合可能な係合突起を備え、前記固定用ラックは、複数種の定型サイズに対応して、前記第１方向に間隔をおいて配置された複数の第１規制部と、前記第１規制部の間に配置された第２規制部と、を備え、前記第２規制部は、前記所定のピッチのギア歯の一部のピッチが部分的に異なるギア歯を備えていることを特徴とする。
【０００７】
本構成によれば、カーソルの係合突起と固定用ラックのギア歯との係合によって、カーソルの位置が固定される。固定用ラックは、複数の第１規制部と第２規制部とを備える。第２規制部におけるギア歯の一部のピッチが部分的に異なることによって、第１規制部のギア歯は、それぞれの定型サイズのシートサイズに応じた固有の位置に配置することが可能となる。このため、定型およびその他のサイズのシートの位置を規制することが可能であるとともに、定型サイズの規制位置の精度が向上される。
【０００８】
上記の構成において、前記カーソルの前記係合突起は、前記第１方向において所定のピッチで配置された２つの歯からなることが望ましい。
【０００９】
本構成によれば、係合突起が１つの歯からなる場合と比較して、カーソルの位置を安定して規制することができる。また、係合突起の２つの歯の間には、凹部が形成される。この結果、固定用ラックの１つのギア歯であっても、カーソルの位置を規制することができる。
【００１０】
上記の構成において、前記複数の第１規制部のうち、一の第１規制部は、前記第１方向に所定のピッチで配置された複数の前記ギア歯からなり、他の第１規制部は、一つの前記ギア歯からなることが望ましい。
【００１１】
本構成によれば、第１規制部同士が近接している場合であっても、それぞれの位置にカーソルを固定することができる。
【００１２】
上記の構成において、前記複数の第１規制部は、前記第１方向に沿って隣接して配置された２つの規制部を備え、前記２つの規制部の間には、前記第２規制部が配置されておらず、前記２つの規制部は、いずれも一つの前記ギア歯からなることが望ましい。
【００１３】
本構成によれば、特に近接した２つの第１規制部に対しても、それぞれの位置にカーソルを固定することができる。
【００１４】
上記の構成において、前記固定用ラックの前記ギア歯は、前記カーソルから前記シートの端縁に向かう方向に沿って先上がりの第１傾斜面と、前記第１傾斜面の頂点から下方に延びる第１壁面と、を備え、前記係合突起は、鉛直方向に沿って延びる第２壁面と、前記第２壁面の下端部に連結され、前記カーソルから前記シートの端縁に向かう方向に沿って先上がりの第２傾斜面と、を備えることが望ましい。
【００１５】
本構成によれば、給紙カセットにシートの束が挿入された場合や、給紙カセットが所定の筐体に装着される際の勢いによって、カーソルに第１方向に沿った外力が付与される場合でも、カーソルの係合突起と固定用ラックのギア歯との係合が外れることが抑止される。
【００１６】
上記の構成において、前記カーソルは、前記シートの前記端縁に当接し、前記シートの前記第１方向における位置を規制する規制部材と、前記第１方向と交差する方向に延びる軸部と、前記軸部よりも下方に配置された前記係合突起とを備え、前記軸部回りに回動可能に前記規制部材に支持されたロック部材と、前記軸部よりも上方において前記規制部材と前記ロック部材との間で圧縮して配置される付勢部材と、を備え、前記付勢部材の付勢力によって、前記ロック部材に前記軸部回りの回転力が付与され、前記固定用ラックの前記ギア歯と前記ロック部材の前記係合突起とが係合することで、前記カーソルの前記第１方向における位置がロックされ、当該カーソルのロック状態では、前記軸部よりも上方において前記規制部材と前記ロック部材とが当接していないことが望ましい。
【００１７】
給紙カセットが勢いよく所定の筐体に装着されると、カーソルの規制部材が装着方向先端側に倒れやすい。規制部材とともにロック部材が倒れると、カーソルの位置がずれやすくなる。カーソルの位置ずれは、積載されたシートの位置ずれに繋がる。このような場合であっても、上記の構成によれば、ロック部材が軸部回りに回動可能に規制部材に支持され、軸部よりも上方において規制部材とロック部材とが当接していない。この結果、規制部材が倒れた場合でもロック部材が倒れにくく、ロック部材に備えられた係合突起が固定用ラックのギア歯から脱離することが抑止される。したがって、給紙カセットの装着時の衝撃によって、カーソルの位置がずれることが抑止される。
【００１８】
本発明の他の局面に係る画像形成装置は、上記の何れか１に記載の給紙カセットと、前記給紙カセットが装着される筐体と、前記筐体に配置され、前記給紙カセットから給紙された前記シートに画像を形成する画像形成部と、を有する。
【００１９】
本構成によれば、定型およびその他のサイズのシートの位置を規制することが可能であるとともに、定型サイズの規制位置の精度が向上される。このため、シートの位置が安定して規制された状態で、シートに画像を形成することができる。
【発明の効果】
【００２０】
本発明によれば、定型およびその他のサイズのシートの位置を規制することが可能であり、定型サイズの規制位置の精度が向上された給紙カセットおよびこれを備えた画像形成装置が提供される。
【図面の簡単な説明】
【００２１】
【図１】本発明の一実施形態に係る画像形成装置の断面図である。
【図２】本発明の一実施形態に係る給紙カセットの斜視図である。
【図３】本発明の一実施形態に係る給紙カセットの平面図である。
【図４】図３からリフト板が取り外された状態の給紙カセットの平面図である。
【図５Ａ】本発明の一実施形態に係る給紙カセットの第２カーソルの斜視図である。
【図５Ｂ】本発明の一実施形態に係る給紙カセットの第２カーソルの斜視図である。
【図５Ｃ】本発明の一実施形態に係る給紙カセットの第２カーソルの正面図である。
【図６Ａ】本発明の一実施形態に係る給紙カセットのロック部材の正面図である。
【図６Ｂ】本発明の一実施形態に係る給紙カセットのロック部材の斜視図である。
【図６Ｃ】本発明の一実施形態に係る給紙カセットのロック部材の斜視図である。
【図７Ａ】本発明の一実施形態に係る給紙カセットの一部を拡大した平面図である。
【図７Ｂ】本発明の一実施形態に係る給紙カセットの一部を拡大した断面図である。
【図８Ａ】本発明の一実施形態に係る給紙カセットの一部を拡大した平面図である。
【図８Ｂ】本発明の一実施形態に係る給紙カセットの一部を拡大した断面図である。
【図９Ａ】本発明の一実施形態に係る給紙カセットの一部を拡大した平面図である。
【図９Ｂ】本発明の一実施形態に係る給紙カセットの一部を拡大した断面図である。
【図１０Ａ】本発明の一実施形態に係る給紙カセットの一部を拡大した平面図である。
【図１０Ｂ】本発明の一実施形態に係る給紙カセットの一部を拡大した断面図である。
【図１１Ａ】本発明の一実施形態に係る給紙カセットの一部を拡大した平面図である。
【図１１Ｂ】本発明の一実施形態に係る給紙カセットの一部を拡大した断面図である。
【図１２】本発明の一実施形態に係る給紙カセットの一部を拡大した断面図である。
【図１３】本発明の一実施形態に係る給紙カセットにおいて、各種のシートサイズに対応したカーソルの固定位置を示す断面図である。
【発明を実施するための形態】
【００２２】
以下、図面を参照しつつ、本発明の一実施形態について説明する。図１は、本発明の一実施形態に係る画像形成装置１の内部断面図である。図１に示される画像形成装置１は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。また、以下の説明において、「シート」との用語は、コピー用紙、コート紙、ＯＨＰシート、厚紙、葉書、トレーシングペーパーや画像形成処理を受ける他のシート材料或いは画像形成処理以外の任意の処理を受けるシート材料を意味する。
【００２３】
画像形成装置１は、略直方体形状の主筐体２を含む。主筐体２は、略直方体形状の下部筐体２１（筐体）と、下部筐体２１の上方に配設される略直方体形状の上部筐体２２と、下部筐体２１と上部筐体２２とを連結する連結筐体２３とを含む。下部筐体２１、上部筐体２２及び連結筐体２３で囲まれる排出空間２４に印刷処理が施与されたシートが排出される。
【００２４】
画像形成装置１は、給紙カセット１１０と、給紙部１１と、画像形成部１２０とを備える。給紙部１１は、ピックアップローラー１１２と、給紙ローラー１１３と、を備える。給紙部１１は、給紙カセット１１０からシートＰを右方向（搬送方向）に向かってシート搬送路ＰＰに給紙する。シート搬送路ＰＰは、給紙部１１から画像形成部１２０内に配設された転写位置ＴＰを通過するように配設された搬送路である。
【００２５】
給紙カセット１１０の内部には、シートＰが積載される。給紙カセット１１０は、下部筐体２１から前方向（図１の紙面手前方向）に引き出され、後方向（所定の装着方向）に沿って下部筐体２１に装着可能である。給紙カセット１１０は、シートＰを支持するリフト板１１１を備える。リフト板１１１は、シートＰの先頭縁を上方に押し上げるように傾斜する。
【００２６】
ピックアップローラー１１２は、リフト板１１１によって上方に押し上げられたシートＰの先頭縁上に配置される。ピックアップローラー１１２が回転すると、シートＰは給紙カセット１１０から引き出される。なお、シートＰは、下部筐体２１の内部において給紙カセット１１０の装着方向と交差する給紙方向（右方向）に向かって給紙される。給紙ローラー１１３は、ピックアップローラー１１２のシート搬送方向下流側に配設される。給紙ローラー１１３は、シートＰを更にシート搬送方向の下流側に送り出す。
【００２７】
画像形成部１２０は、給紙カセット１１０から給送されたシートＰに画像を形成する。画像形成部１２０は、感光体ドラム１２１と、帯電器１２２と、露光装置１２３と、現像装置１２４と、トナーコンテナ１２５と、転写ローラー１２６と、クリーニング装置１２７と、を備える。
【００２８】
感光体ドラム１２１は、周面に静電潜像が形成されるとともに、該静電潜像に応じたトナー画像を担持する。帯電器１２２は、感光体ドラム１２１の周面を略一様に帯電させる。露光装置１２３は、感光体ドラム１２１の周面に、レーザー光を照射する。現像装置１２４は、感光体ドラム１２１の周面にトナーを供給する。トナーコンテナ１２５は、現像装置１２４へトナーを供給する。現像装置１２４がトナーを感光体ドラム１２１に供給すると、感光体ドラム１２１の周面に形成された静電潜像が現像（可視化）され、トナー画像が形成される。転写ローラー１２６は、転写位置ＴＰにおいて、感光体ドラム１２１の周面に形成されたトナー画像をシートＰに転写する。クリーニング装置１２７は、シートＰへトナー画像が転写された後に、感光体ドラム１２１の周面に残るトナーを除去する。
【００２９】
画像形成装置１は、画像形成部１２０よりも搬送方向下流側に、シートＰ上のトナー画像を定着させる定着装置１３０を更に備える。定着装置１３０は、シートＰ上のトナーを溶融させる加熱ローラー１３１と、シートＰを加熱ローラー１３１に密着させる圧力ローラー１３２と、を備える。
【００３０】
次に、本実施形態に係る給紙カセット１１０について、更に詳述する。図２は、本実施形態に係る給紙カセット１１０の斜視図である。図３は、給紙カセット１１０の平面図である。図４は、図３の給紙カセット１１０からリフト板１１１が取り外された状態の平面図である。
【００３１】
図２を参照して、給紙カセット１１０は、略直方体形状からなり、上面が開口されている。給紙カセット１１０は、カセット底部１１０Ｔ（底部）と、カセット前壁１１０Ａと、カセット後壁１１０Ｂと、カセット右壁１１０Ｒと、カセット左壁１１０Ｌと、を備える。カセット底部１１０Ｔは、給紙カセット１１０の底部分であって、平面視で矩形形状を備えている。カセット底部１１０Ｔの上面にシートＰが積載される。カセット底部１１０Ｔの前後左右の側部から、それぞれ、カセット前壁１１０Ａ、カセット後壁１１０Ｂ、カセット左壁１１０Ｌおよびカセット右壁１１０Ｒが立設されている。この結果、給紙カセット１１０の内部にシート収容部１１０Ｓ（図１）が形成され、シートＰが収容される。なお、図２において、カセット前壁１１０Ａの前側には不図示のカセットカバーが装着される。また、カセット右壁１１０Ｒは、右レール１１０Ｒ１を備える。同様に、カセット左壁１１０Ｌにも、不図示の左レールが備えられている。これらのレールは、給紙カセット１１０の下部筐体２１への装着をガイドする。この際、給紙カセット１１０は、図２および図３の矢印ＤＨ方向に向かって下部筐体２１に装着される。
【００３２】
また、前述のリフト板１１１は、カセット前壁１１０Ａおよびカセット後壁１１０Ｂから突設されたカセット軸支部１１０Ｐ（図４）を支点として回動可能とされている。カセット軸支部１１０Ｐは、リフト板１１１に開口された穴状のリフト板支点部１１１Ｓ（図２、図３）に挿通されている。また、リフト板１１１は、パッド部材１１１Ｐ（図３）を備える。パッド部材１１１Ｐは、リフト板１１１の右端部に貼り付けられた弾性部材である。パッド部材１１１Ｐは、最終紙およびその付近のシート束の重送を防止する。
【００３３】
給紙カセット１１０は、更に、後端カーソル５０と、後端ガイド部１１０Ｈとを備える（図２）。後端カーソル５０は、シート収容部１１０Ｓに収容されるシートの搬送方向後端部を規制する。後端ガイド部１１０Ｈは、カセット底部１１０Ｔにおいて左右方向に延びるガイド溝である。後端カーソル５０は、後端ガイド部１１０Ｈに沿って、シートＰの搬送方向に移動可能とされている。後端ガイド部１１０Ｈの前側には、シートＰのサイズが表示された後端用サイズ表示部１１０Ｈ１が配置されている（図４）。
【００３４】
また、給紙カセット１１０は、第１カーソル５１と、第２カーソル５２（カーソル）と、ピニオンギア５３と、を備える（図４）。第１カーソル５１は、カセット底部１１０Ｔにおいて給紙カセット１１０の装着方向に沿って移動可能とされ、シートＰの前記装着方向先端側の端縁に当接する。同様に、第２カーソル５２は、カセット底部１１０Ｔにおいて前記装着方向に沿って移動可能とされ、シートＰの前記装着方向後端側の端縁に当接する。
【００３５】
第１カーソル５１は、第１ラック５１１を備える。また、第２カーソル５２は、第２ラック５２１を備える。第１ラック５１１および第２ラック５２１は、それぞれ、第１カーソル５１および第２カーソル５２からシートＰの幅方向内側に向かって延びている。第１ラック５１１および第２ラック５２１には、ラックギア（図５Ａの移動用ラックギア５２１Ｇ参照）が備えられている。これらのラックギアは、第１カーソル５１と第２カーソル５２との間に回転可能に配置されたピニオンギア５３（図４）に係合されている。この結果、第１カーソル５１および第２カーソル５２は、連動して、シートＰの幅方向（前後方向）にスライド移動することができる。
【００３６】
図４を参照して、給紙カセット１１０は、サイズ表示部１Ａと、定型サイズ用溝部１Ｂと、固定用ラック１Ｃとを備える。サイズ表示部１Ａには、シートＰのサイズが複数表示されている。第２カーソル５２が前後方向に移動されると、第２カーソル５２の一端（図７Ａの第２カーソル指示部５２Ｉ）がサイズ表示部１Ａの一のシートサイズを指示する。この結果、シート収容部１１０Ｓに収容可能なシートＰのサイズが使用者に認識される。
【００３７】
定型サイズ用溝部１Ｂは、サイズ表示部１Ａの右側において、前後方向に間隔をおいて配置された複数の溝１Ｂ１（図７Ａ）を備える。当該溝は、それぞれ左右方向に所定の長さを備え、カセット底部１１０Ｔの一部が凹没することで形成されている。定型サイズ用溝部１Ｂの溝１Ｂ１に、後記の定型サイズ用突片５２Ｃ（図５Ｃ）が挿入される際のクリック感によって、第２カーソル５２が所定位置に至ったことがユーザーに認識される。
【００３８】
固定用ラック１Ｃは、カセット底部１１０Ｔにおいて、定型サイズ用溝部１Ｂの右側に前後方向（第１方向）に延びるように配置されている。固定用ラック１Ｃは、前後方向に所定のピッチで連続して形成された複数のギア歯１Ｃ１を含む（図７Ｂ参照）。固定用ラック１Ｃは、第２カーソル５２の前後方向（第１方向）における位置を固定する機能を備えている。なお、前述のように、第１カーソル５１および第２カーソル５２は、ピニオンギア５３を介して一体的に移動する。このため、第２カーソル５２の位置が固定用ラック１Ｃによって固定されると、第１カーソル５１の位置も自ずと固定される。
【００３９】
次に、本実施形態に係る第２カーソル５２について、更に詳述する。図５Ａおよび図５Ｂは、本実施形態に係る第２カーソル５２の斜視図である。図５Ｃは、第２カーソル５２の正面図である。図６Ａは、第２カーソル５２の一部であるロック部材５２Ｂの正面図である。図６Ｂおよび図６Ｃは、ロック部材５２Ｂの斜視図である。図７Ａは、給紙カセット１１０の一部を拡大した平面図である。図７Ｂは、給紙カセット１１０の一部を拡大した断面図である。
【００４０】
第２カーソル５２は、規制部材５２Ａと、ロック部材５２Ｂと、定型サイズ用突片５２Ｃ（図５Ｂ、図５Ｃ）と、突片押圧ばね５２Ｄ（図５Ｃ）と、ロック付勢ばね５２Ｅ（図７Ｂ）（付勢部材）と、を備える。規制部材５２Ａは、シートＰの端縁に当接し、シートＰの幅方向（給紙カセット１１０の装着方向）の位置を規制する、第２カーソル５２の本体部分である。図５Ａに示すように、前述の第２ラック５２１は、規制部材５２Ａの下端部から後方に向かって延設されている。規制部材５２Ａは、規制プレート５２Ａ１（規制部）と、リブ５２Ａ２と、対向バー５２Ａ３（対向部）と、軸支孔５２Ａ４と、ガイド片５２Ａ５と、ばね装着部５２Ａ６と、第１ばね係止部５２Ａ７（図７Ｂ）と、を備える。
【００４１】
規制プレート５２Ａ１は、上下および左右方向に延びる板状部材である。規制プレート５２Ａ１の後側の側面が、シートＰの端縁に当接する。図５Ｃに示すように、正面視において、規制プレート５２Ａ１は、矩形形状の上端の中央部が略台形に切り欠かれた形状からなる。リブ５２Ａ２は、規制プレート５２Ａ１の前側（規制部材５２Ａの規制面の裏側）において、格子状に形成されたリブである。リブ５２Ａ２によって、規制プレート５２Ａ１の剛性が高められている。
【００４２】
対向バー５２Ａ３は、規制プレート５２Ａ１に連結された細長片である。対向バー５２Ａ３は、規制プレート５２Ａ１の中央部に対向して、左右方向に延びている。対向バー５２Ａ３の両端部は、リブ５２Ａ２の一部に連結されている。対向バー５２Ａ３は、規制プレート５２Ａ１よりも給紙カセット１１０装着方向後端側（前側）に配置されている。対向バー５２Ａ３は、規制プレート５２Ａ１との間で後記のロック部材５２Ｂを挟むように配置され、ロック部材５２Ｂが進入可能な空間部を形成している。
【００４３】
軸支孔５２Ａ４は、規制プレート５２Ａ１に形成された一対の孔部である。軸支孔５２Ａ４には、ロック部材５２Ｂの軸部５２Ｂ５が挿通される。ガイド片５２Ａ５は、規制プレート５２Ａ１の下端縁に配置された一対の突片である。一対のガイド片５２Ａ５は、それぞれ左右方向の外側に向かって突出している。カセット底部１１０Ｔに形成された不図示のガイド溝に、ガイド片５２Ａ５が挿通されることで、第２カーソル５２の前後方向の移動がガイドされる。
【００４４】
ばね装着部５２Ａ６（図５Ｃ）は、リブ５２Ａ２の一部によって画定された壁面からなる。ばね装着部５２Ａ６の上面は、突片押圧ばね５２Ｄの上端部を支持する。第１ばね係止部５２Ａ７（図７Ｂ）は、規制プレート５２Ａ１の前側の壁面において、左右方向の中央部に配置された突起である。なお、図５Ａ乃至図５Ｃでは、ロック部材５２Ｂに覆われているため、第１ばね係止部５２Ａ７は現れていない。第１ばね係止部５２Ａ７には、後記のロック付勢ばね５２Ｅの一端が係止される。
【００４５】
ロック部材５２Ｂは、規制部材５２Ａに装着される部材であって、規制部材５２Ａと一体的に給紙カセット１１０から取り外し可能とされている。ロック部材５２Ｂは、第２カーソル５２の位置をロックする機能を備えている。図６Ａ乃至図６Ｃを参照して、ロック部材５２Ｂは、把持部５２Ｂ１と、段差部５２Ｂ２と、中央支持部５２Ｂ３と、脚部５２Ｂ４と、軸部５２Ｂ５と、中央突部５２Ｂ６と、係合突起５２Ｂ７と、第２ばね係止部５２Ｂ８（図７Ｂ）と、を備える。
【００４６】
図５Ａに示すように、ロック部材５２Ｂは、規制部材５２Ａの左右方向の中央部であって、規制プレート５２Ａ１の前側（裏側）に装着される。把持部５２Ｂ１は、ロック部材５２Ｂの上端部に配置された舌状部分からなる。給紙カセット１１０の使用者が第２カーソル５２をスライド移動させる際に、把持部５２Ｂ１は規制プレート５２Ａ１とともに使用者によって把持される。なお、把持部５２Ｂ１は、前述の対向バー５２Ａ３よりも上方に配置されている。段差部５２Ｂ２は、把持部５２Ｂ１の下方に位置し、把持部５２Ｂ１よりも後方に段差をもって配置されている。この結果、図６Ｂ、図６Ｃに示すように、段差部５２Ｂ２の前側には、凹部５２ＢＳが形成されている。凹部５２ＢＳは、対向バー５２Ａ３に対向して配置される。中央支持部５２Ｂ３は、段差部５２Ｂ２の左右方向の中央部から下方に延びている。また、一対の脚部５２Ｂ４は、中央支持部５２Ｂ３を挟むように配置され、それぞれ、段差部５２Ｂ２の左右方向の両端部から下方に延びている。軸部５２Ｂ５は、脚部５２Ｂ４の下端部からそれぞれ左右方向（給紙カセット１１０の装着方向と交差する方向）において外側に向かって突設された円柱状の軸部分である。なお、脚部５２Ｂ４は、薄板状の部材からなるため、左右方向に弾性変形可能とされる。このため、ロック部材５２Ｂが規制部材５２Ａに装着される際に、軸部５２Ｂ５が容易に軸支孔５２Ａ４（図５Ａ、図５Ｂ）に挿通される。
【００４７】
中央突部５２Ｂ６（図６Ｃ）は、中央支持部５２Ｂ３の下端側から突設された突起部である。中央突部５２Ｂ６の下端部には、係合突起５２Ｂ７が備えられている。なお、係合突起５２Ｂ７は、一対の軸部５２Ｂ５よりも下方に位置している。また、図６Ｂおよび図７Ｂを参照して、係合突起５２Ｂ７は、前後方向に所定のピッチで隣接する２つの係合歯を備える。当該２つの歯型では、それぞれ、前側（給紙カセット１１０の装着方向後端側）の側面５２Ｇ１（図６Ｂ）が鉛直方向に延び、後側（装着方向先端側）の側面５２Ｇ２（図６Ｂ）が給紙カセット１１０の装着方向に沿って先上がりの傾斜面からなる（図７Ｂ参照）。第２ばね係止部５２Ｂ８（図７Ｂ）は、中央支持部５２Ｂ３の後側の側面から後方に突設された突起である。第２ばね係止部５２Ｂ８には、ロック付勢ばね５２Ｅの前端部が係止される。
【００４８】
ロック部材５２Ｂの軸部５２Ｂ５が規制部材５２Ａの軸支孔５２Ａ４（図５Ａ、図５Ｂ）に挿通されると、ロック部材５２Ｂは、軸部５２Ｂ５回りに回動可能に規制部材５２Ａに支持される。この際、図５Ａ乃至図５Ｃに示すように、ロック部材５２Ｂの段差部５２Ｂ２は、規制プレート５２Ａ１と対向バー５２Ａ３との間に位置する。更に、ロック部材５２Ｂの把持部５２Ｂ１は、対向バー５２Ａ３の上方において、前方に向かって先上がりとなるように傾斜している。また、対向バー５２Ａ３は、部分的に、ロック部材５２Ｂの凹部５２ＢＳ（図６Ｂ）に嵌っている。
【００４９】
定型サイズ用突片５２Ｃ（図５Ｂ、図５Ｃ）は、ロック部材５２Ｂの左側で、規制部材５２Ａに支持されている突片である。詳しくは、定型サイズ用突片５２Ｃは、ばね装着部５２Ａ６（図５Ｃ）の下面に形成された不図示のスリットに挿通されている。また、定型サイズ用突片５２Ｃの上端部には、突片押圧ばね５２Ｄの下端部が係止されている。この結果、定型サイズ用突片５２Ｃは、上下方向にスライド移動可能とされる。突片押圧ばね５２Ｄは、定型サイズ用突片５２Ｃを下方に向かって付勢する。突片押圧ばね５２Ｄの付勢力によって、定型サイズ用突片５２Ｃは、給紙カセット１１０の定型サイズ用溝部１Ｂの溝１Ｂ１（図７Ａ）に進入可能とされる。なお、溝１Ｂ１には、不図示のテーパ面（傾斜面）が形成されている。このため、作業者が第２カーソル５２をスライド移動する際の移動力によって、定型サイズ用突片５２Ｃは突片押圧ばね５２Ｄを圧縮しながら上記のテーパ面に沿って溝１Ｂ１から抜け出すことができる。
【００５０】
ロック付勢ばね５２Ｅ（図７Ｂ）は、軸部５２Ｂ５よりも上方において規制部材５２Ａとロック部材５２Ｂとの間で圧縮して配置される圧縮ばねである。また、ロック付勢ばね５２Ｅは、前述の対向バー５２Ａ３よりも軸部５２Ｂ５側（下方）に配置されている。
【００５１】
図７Ａおよび図７Ｂを参照して、第２カーソル５２は、給紙カセット１１０において前後方向にスライド移動可能とされる。図７Ｂに示すように、ロック付勢ばね５２Ｅは、軸部５２Ｂ５よりも上方において、規制部材５２Ａに対してロック部材５２Ｂを前方に向かって付勢している。この結果、ロック付勢ばね５２Ｅの付勢力によって、ロック部材５２Ｂに軸部５２Ｂ５回りの回転力が付与され（図７Ｂの矢印Ｄ１）、固定用ラック１Ｃのギア歯１Ｃ１とロック部材５２Ｂの係合突起５２Ｂ７とが係合することで、第２カーソル５２の前後方向における位置が固定される。
【００５２】
一方、給紙カセット１１０の使用者が、図７Ｂの規制部材５２Ａと把持部５２Ｂ１とを上方から把持すると、ロック付勢ばね５２Ｅの付勢力に抗して、ロック部材５２Ｂが軸部５２Ｂ５回りに矢印Ｄ１とは反対の方向に回動される。この結果、固定用ラック１Ｃのギア歯１Ｃ１とロック部材５２Ｂの係合突起５２Ｂ７との係合、すなわち、第２カーソル５２のロックが解除され、第２カーソル５２が前後方向に移動可能とされる。このため、使用者（作業者）によってロック部材５２Ｂが回動されることで、第２カーソル５２の移動が容易に実現される。
【００５３】
前述のように、給紙カセット１１０のカセット底部１１０Ｔには、第２カーソル５２の位置を固定するための固定用ラック１Ｃの他に、サイズ表示部１Ａおよび定型サイズ用溝部１Ｂが備えられている（図７Ａ）。図７Ａでは、第２カーソル５２の左端部に位置する第２カーソル指示部５２Ｉが、サイズ表示部１Ａの「Ａ４サイズ」を指示している。また、図７Ａには現れていないが、第２カーソル５２の下方では、定型サイズ用突片５２Ｃ（図５Ｃ）が、定型サイズ用溝部１Ｂのうちの一の溝１Ｂ１（図７Ａ）に進入している。使用者は、上記のように第２カーソル５２をスライド移動させる際、サイズ表示部１Ａのシートサイズを見ながら、第２カーソル５２の固定位置を把握することができる。加えて、第２カーソル５２の移動に伴って定型サイズ用溝部１Ｂの平面部１Ｂ２（図７Ａ）を滑りながら移動する定型サイズ用突片５２Ｃ（図５Ｃ）が、次の溝１Ｂ１に進入する際のクリック感によっても、使用者は第２カーソル５２の定型サイズ用の固定位置を認識することができる。なお、図７Ｂに示すように、カーソル固定部１Ｃには前後方向に沿ってギア歯１Ｃ１が連続的に形成されている。このため、サイズ表示部１Ａに示される定型サイズ以外の非定型サイズのシートＰが給紙カセット１１０に収容される場合であっても、当該シートＰの端縁が第１カーソル５１および第２カーソル５２によって規制可能とされる。
【００５４】
本実施形態では、第１カーソル５１および第２カーソル５２によって規制されるシートＰの幅方向が、給紙カセット１１０の装着方向に沿うように、給紙カセット１１０が配置されている。このため、使用者によって、給紙カセット１１０が後方に向かって勢いよく下部筐体２１（図１）に装着されると、第１カーソル５１がシート束によって後方に向かって直接衝撃を受けるとともに、第１カーソル５１に連結されている第２カーソル５２の規制部材５２Ａが後方に倒れやすい（図７Ｂの矢印Ｄ３）。仮に、規制部材５２Ａおよびロック部材５２Ｂが、複数の固定部によって一体的に固定されている場合、規制部材５２Ａとともにロック部材５２Ｂが倒れると、固定用ラック１Ｃのギア歯１Ｃ１から係合突起５２Ｂ７が脱離し、第２カーソル５２のロックが解除されてしまう。特に、本実施形態では、固定用ラック１Ｃのギア歯１Ｃ１とロック部材５２Ｂの係合突起５２Ｂ７とが係合する係合位置Ｐ１（図７Ｂ）が、規制部材５２ＡがシートＰの端縁を規制する規制位置Ｐ２（図７Ｂ）よりも、給紙カセット１１０の装着方向後端側（前側）に配置されている。この場合、ロック部材５２Ｂの倒れが係合突起５２Ｂ７の脱離（浮き上がり）に繋がりやすくなる。係合突起５２Ｂ７が誤って脱離すると、第２カーソル５２の位置がずれ、積載されたシートＰの位置ずれがもたらされる。この結果、シートＰの搬送不良や画像ずれが発生してしまう。
【００５５】
本実施形態では、このような課題を解決するために、ロック部材５２Ｂが軸部５２Ｂ５回りに回動可能に規制部材５２Ａに支持されており、第２カーソル５２のロック状態において、軸部５２Ｂ５よりも上方では、規制部材５２Ａとロック部材５２Ｂとが当接していない。詳しくは、図７Ｂのように、第２カーソル５２が給紙カセット１１０に装着された状態では、一対の軸部５２Ｂ５がそれぞれ軸支孔５２Ａ４（図５Ａ、図５Ｂ）に支持されている箇所以外では、ロック部材５２Ｂが規制部材５２Ａに当接する箇所はない。このため、給紙カセット１１０の装着時に規制部材５２Ａが図７Ｂの矢印Ｄ３方向に倒れた場合でも、ロック部材５２Ｂが倒れにくく、係合突起５２Ｂ７が固定用ラック１Ｃのギア歯１Ｃ１から脱離することが抑止される。したがって、給紙カセット１１０の装着時の衝撃によって、第２カーソル５２のロックが解除されることが抑止される。
【００５６】
なお、図７Ｂを参照して、固定用ラック１Ｃのギア歯１Ｃ１とロック部材５２Ｂの係合突起５２Ｂ７とが係合した状態において、規制プレート５２Ａ１および対向バー５２Ａ３とロック部材５２Ｂの段差部５２Ｂ２との間にはそれぞれ隙間が形成されている。このため、規制部材５２Ａが図７Ｂの矢印Ｄ３方向に倒れた場合でも、対向バー５２Ａ３が段差部５２Ｂ２を後方に押圧しにくく、ロック部材５２Ｂが倒れることが抑止される。
【００５７】
また、ロック付勢ばね５２Ｅ（図７Ｂ）は、対向バー５２Ａ３よりも軸部５２Ｂ５側に配置されている。このため、作業者が、ロック付勢ばね５２Ｅの付勢力に抗して、第２カーソル５２を操作する際の操作力が低減される。更に、第２カーソル５２のロック状態において、対向バー５２Ａ３は凹部５２ＢＳ内に配置され、把持部５２Ｂ１が対向バー５２Ａ３よりも装着方向後端側に突出している。このため、第２カーソル５２のロック状態における把持部５２Ｂ１と規制プレート５２Ａ１との距離が大きく設定され、作業者が把持部５２Ｂ１と規制プレート５２Ａ１とを掴みやすい。このため、第２カーソル５２の操作性が向上される。
【００５８】
また、使用者によっては、規制部材５２Ａとロック部材５２Ｂとを同時に把持することなく、ロック部材５２Ｂだけを把持した状態で、第２カーソル５２を移動させようとする場合がある。このような場合であっても、使用者がロック部材５２Ｂを勢いよく移動させようとすると、ロック部材５２Ｂが規制プレート５２Ａ１または対向バー５２Ａ３に当接可能であるため、ロック部材５２Ｂの移動が規制される。このため、係合突起５２Ｂ７の破損や、軸部５２Ｂ５が軸支孔５２Ａ４から抜け出すことがなく、第２カーソル５２の破損が防止される。
【００５９】
なお、第２カーソル５２のメンテナンスなどに際して、第２カーソル５２が給紙カセット１１０のカセット底部１１０Ｔ（図２）から取り外されると、ロック付勢ばね５２Ｅの付勢力によって、ロック部材５２Ｂが軸部５２Ｂ５回りに更に回動され、ロック部材５２Ｂが対向バー５２Ａ３に当接する（図５Ａ、図５Ｂ）。すなわち、対向バー５２Ａ３がロック部材５２Ｂの回り止めとして機能する。この結果、規制部材５２Ａからロック部材５２Ｂが脱離することが防止され、第２カーソル５２の部品が紛失することが抑止される。
【００６０】
次に、図８Ａ乃至図１３を参照して、第２カーソル５２の固定位置について更に詳述する。図８Ａおよび図８Ｂは、第２カーソル５２が「ＬＴＲ（レターサイズ）」または「ＬＧＬ（リーガルサイズ）」に対応する固定位置に配置された際の給紙カセット１１０の一部の平面図および断面図である。同様に、図９Ａおよび図９Ｂは、第２カーソル５２が「Ｂ５サイズ」に対応する固定位置に配置された際の給紙カセット１１０の一部の平面図および断面図である。また、図１０Ａおよび図１０Ｂは、第２カーソル５２が「Ａ５サイズ」に対応する固定位置に配置された際の給紙カセット１１０の一部の平面図および断面図である。図１１Ａおよび図１１Ｂは、第２カーソル５２が「Ａ６サイズ」に対応する固定位置に配置された際の給紙カセット１１０の一部の平面図および断面図である。図１２は、第２カーソル５２が「ＤＬ（封筒）サイズ」に対応する固定位置に配置された際の給紙カセット１１０の一部の断面図である。更に、図１３は、本実施形態に係る給紙カセット１１０において、各種のシートサイズに対応した第２カーソル５２の固定位置をまとめて示した断面図である。
【００６１】
図７Ａおよび図７Ｂに示される「Ａ４サイズ」に対応した固定位置から第２カーソル５２が前方に移動されると、図８Ａおよび図８Ｂに示すように、第２カーソル５２は、「ＬＴＲ（レターサイズ）」または「ＬＧＬ（リーガルサイズ）」に対応した固定位置に固定可能とされる。ＬＴＲサイズに対応した第２カーソル５２の固定位置には、前後方向に隣接する３つのギア歯１Ｃ１が配置されている。そして、第２カーソル５２の係合突起５２Ｂ７は、隣接する３つのギア歯１Ｃ１のうち２つのギア歯１Ｃ１に係合している。
【００６２】
同様に、図７Ａおよび図７Ｂに示される「Ａ４サイズ」に対応した固定位置から第２カーソル５２が後方に移動されると、図９Ａおよび図９Ｂに示すように、第２カーソル５２は、「Ｂ５サイズ」に対応した固定位置に固定可能とされる。この場合も、第２カーソル５２の係合突起５２Ｂ７は、隣接する３つのギア歯１Ｃ１によって形成される２つの凹部に嵌りこんでいる。更に、第２カーソル５２が後方に移動されると、図１０Ａおよび図１０Ｂに示すように、第２カーソル５２は、「Ａ５サイズ」に対応した固定位置に固定可能とされる。この場合も、第２カーソル５２の係合突起５２Ｂ７は、隣接する３つのギア歯１Ｃ１のうち２つのギア歯１Ｃ１に係合している。
【００６３】
一方、図１０Ａおよび図１０Ｂに示される「Ａ５サイズ」に対応した固定位置から第２カーソル５２が後方に移動されると、図１１Ａおよび図１１Ｂに示すように、第２カーソル５２は、「Ａ６サイズ」に対応した固定位置に固定可能とされる。この場合、図１１Ｂに示すように、係合突起５２Ｂ７の後側の歯と、係合突起５２Ｂ７よりも後方に位置するギア歯１Ｃ１との間には僅かに隙間が形成されている。換言すれば、Ａ６サイズに対応した第２カーソル５２の固定位置には、１つのギア歯１Ｃ１が配置されている。そして、係合突起５２Ｂ７が、１つのギア歯１Ｃ１のみに係合することで、第２カーソル５２の位置が固定されている。
【００６４】
なお、図１０Ａおよび図１０Ｂに示される「Ａ５サイズ」に対応した固定位置と、図１１Ａおよび図１１Ｂに示される「Ａ６サイズ」の固定位置との間には、図１２に示す「ＤＬ（封筒）」サイズの固定位置が備えられている。この固定位置においても、図１１Ｂの場合と同様に、係合突起５２Ｂ７の２つの歯が、１つのギア歯１Ｃ１に嵌りこむことで、第２カーソル５２の位置が固定されている。
【００６５】
Ａ４サイズ（縦）のシート幅は２９７ｍｍであり、Ａ５サイズ（横）のシート幅は１４８ｍｍであり、Ａ６サイズ（横）のシート幅は１０５ｍｍである。また、Ｂ５サイズ（横）のシート幅は１８２ｍｍであり、Ｂ６サイズ（横）のシート幅は１２８ｍｍである。更に、レターサイズまたはリーガルサイズのシート幅は８と２分の１インチであり、ＤＬ（封筒）サイズのシート幅は１１０ｍｍである。このように、定型サイズのシート幅は、それぞれ異なっており、特に、小数点以下のミリ単位で違いが生じる。したがって、従来のように、固定用ラック１Ｃのギア歯１Ｃ１が所定のピッチ（たとえば、２ｍｍ）で等間隔に形成されている場合、いずれかの定型サイズのシートＰにおいて、シートＰの端縁と第２カーソル５２の規制部材５２Ａとの間に隙間が生じてしまう。この場合、シートＰの位置決めが精度良く実現されず、シートＰの斜め搬送や画像ずれが発生するという問題があった。
【００６６】
本実施形態では、このような課題を解決するために、各定型サイズの固定位置に対応したギア歯１Ｃ１は、予めシートサイズに最適化された位置に形成されている。特に、本実施形態では、樹脂成型からなる給紙カセット１１０のカセット底部１１０Ｔにおいて、固定用ラック１Ｃが一体的に成形されている。したがって、予め金型におけるギア歯１Ｃ１の位置が適切に配置されることで、第２カーソル５２が各定型サイズのシートＰの端縁を安定して規制することができる。
【００６７】
図１３では、各サイズのシートＰにおける第２カーソル５２のシート幅規制位置が示されている。本実施形態では、固定用ラック１Ｃは、複数の定型用固定部（第１規制部）と、非定型用固定部（第２規制部）とを備えている。定型用固定部は、複数種の定型サイズのシートＰにそれぞれ対応して、前後方向に間隔をおいて形成されている。図１３では、「ＬＴＲ，ＬＧＬ」、「Ａ４」、「Ｂ５」、「Ａ５」、「ＳＴＭＬ」、「Ｂ６」、「ＤＬ」および「Ａ６」の各サイズに対応した第２カーソル５２の固定位置が、定型用固定部に相当する。なお、各定型用固定部に対応するように、定型サイズ用溝部１Ｂ（図７Ａ）には、溝１Ｂ１が配置されている。一方、図１３において、「ＦＳ」で示される領域が、非定型用固定部に相当する。
【００６８】
定型用固定部におけるギア歯１Ｃ１が、各シートサイズに最適な位置に形成されている場合、隣接する定型用固定部同士の間には、非定型用固定部として等間隔のギア歯１Ｃ１を形成することが困難である。このため、本実施形態では、非定型用固定部において、所定のピッチのギア歯１Ｃ１の一部のピッチが部分的に異なっている。なお、固定用ラック１Ｃにおけるギア歯１Ｃ１の歯形状は、係合突起５２Ｂ７の２つの歯の間の凹部に嵌ることができるよう、すべて同じ形状を備えている。
【００６９】
上記について換言すれば、本実施形態では、非定型用固定部におけるギア歯１Ｃ１のピッチが部分的に異なることによって、定型用固定部のギア歯１Ｃ１は、それぞれの定型サイズのシートサイズに応じた固有の位置に配置することが可能となる。このため、定型および非定型サイズ（その他のサイズ）のシートＰの位置を規制することが可能であるとともに、特に、定型サイズの規制位置の精度が向上される。
【００７０】
なお、前述のＤＬサイズ用（図１３）の定型用固定部（第１規制部）とＡ６サイズ用の定型用固定部（第１規制部）との間には、非定型用固定部（ＦＳ）が配置されていない。そして、これらの２つの定型用固定部（Ａ６用、ＤＬ用）は、いずれも一つのギア歯１Ｃ１からなる。このような構成によれば、２種のシートサイズの大きさが近似し、それぞれの定型用固定部が近接している場合であっても、第２カーソル５２をそれぞれの固定位置に安定して固定することができる。
【００７１】
また、本実施形態では、固定用ラック１Ｃのギア歯１Ｃ１は、第１傾斜面１Ｃ２と、第１壁面１Ｃ３と、を備える（図１３）。第１傾斜面１Ｃ２は、第２カーソル５２からシートＰの端縁に向かう方向（後方向）に沿って先上がりに傾斜している。また、第１壁面１Ｃ３は、第１傾斜面１Ｃ２の頂点から下方に延びている。一方、係合突起５２Ｂ７は、側面５２Ｇ１（第２壁面）と、側面５２Ｇ２（第２傾斜面）と、を備える（図６Ｂ）。側面５２Ｇ１は、鉛直方向に沿って延びている。また、側面５２Ｇ２は、側面５２Ｇ１の下端部に連結され、第２カーソル５２からシートＰの端縁に向かう方向に沿って先上がりに傾斜している。このように、固定用ラック１Ｃのギア歯１Ｃ１および係合突起５２Ｂ７の歯型形状が構成されていることによって、給紙カセット１１０にシートＰの束が挿入された場合や、給紙カセット１１０が下部筐体２１に装着される際の勢いによって、第２カーソル５２に前後方向に沿った外力が付与される場合でも、第２カーソル５２の係合突起５２Ｂ７と固定用ラック１Ｃのギア歯１Ｃ１との係合が外れることが抑止される。
【００７２】
以上、本発明の実施形態に係る給紙カセット１１０および画像形成装置１について説明した。このような構成によれば、定型および非定型サイズのシートＰの位置を規制することが可能であるとともに、特に、定型サイズの規制位置の精度が向上される。このため、シートＰの位置が安定して規制され、シートＰの斜め搬送が防止される。この結果、シートＰに安定して画像を形成することができる。なお、本発明はこれに限定されるものではなく、例えば次のような変形実施形態を取ることができる。
【００７３】
（１）上記の実施形態では、下部筐体２１の内部において、シートＰは給紙カセット１１０の装着方向と交差する方向に給紙される態様にて説明したが、本発明はこれに限定されるものではない、シートＰは、給紙カセット１１０の装着方向に沿うような方向に給紙される態様でもよい。この場合、給紙カセット１１０は、第１カーソル５１を備えなくてもよい。そして、第２カーソル５２はシートＰの後端位置を規制する。
【００７４】
（２）上記の実施形態では、第２カーソル５２が、規制部材５２Ａおよびロック部材５２Ｂからなる態様にて説明したが、本発明はこれに限定されるものではない。他の変形実施形態において、規制部材５２Ａおよびロック部材５２Ｂは、一体的に構成されてもよい。また、上記の実施形態では、規制部材５２Ａが対向バー５２Ａ３を備える態様にて説明したが、本発明はこれに限定されるものではない。規制部材５２Ａは対向バー５２Ａ３を備えないものでもよい。
【符号の説明】
【００７５】
１  画像形成装置
１１  給紙部
１１０      給紙カセット
１１０Ｓ  シート収容部
１１０Ｔ  カセット底部（底部）
１１１  リフト板
１２０  画像形成部
１Ａ  サイズ表示部
１Ｂ  定型サイズ用溝部
１Ｃ  固定用ラック
１Ｃ１  ギア歯
１Ｃ２  第１傾斜面
１Ｃ３  第１壁面
２１  下部筐体（筐体）
５１  第１カーソル
５１１  第１ラック
５２  第２カーソル（カーソル）
５２１  第２ラック
５２１Ｇ  ラックギア
５２Ａ  規制部材
５２Ａ１  規制プレート
５２Ａ２  リブ５２
５２Ａ３  対向バー
５２Ａ４  軸支孔
５２Ａ５  ガイド片
５２Ａ６  ばね装着部
５２Ａ７  第１ばね係止部
５２Ｂ  ロック部材
５２Ｂ１  把持部
５２Ｂ２  段差部
５２Ｂ３  中央支持部
５２Ｂ４  脚部
５２Ｂ５  軸部
５２Ｂ６  中央突部
５２Ｂ７  係合突起
５２Ｂ８  第２ばね係止部
５２ＢＳ  凹部
５２Ｃ  定型サイズ用突片
５２Ｄ  突片押圧ばね
５２Ｅ  ロック付勢ばね（付勢部材）
５２Ｇ１  側面（第２壁面）
５２Ｇ２  側面（第２傾斜面）
５３  ピニオンギア
【図１】
0006354695.tif 000002
【図２】
0006354695.tif 000003
【図３】
0006354695.tif 000004
【図４】
0006354695.tif 000005
【図５Ａ】
0006354695.tif 000006
【図５Ｂ】
0006354695.tif 000007
【図５Ｃ】
0006354695.tif 000008
【図６Ａ】
0006354695.tif 000009
【図６Ｂ】
0006354695.tif 000010
【図６Ｃ】
0006354695.tif 000011
【図７Ａ】
0006354695.tif 000012
【図７Ｂ】
0006354695.tif 000013
【図８Ａ】
0006354695.tif 000014
【図８Ｂ】
0006354695.tif 000015
【図９Ａ】
0006354695.tif 000016
【図９Ｂ】
0006354695.tif 000017
【図１０Ａ】
0006354695.tif 000018
【図１０Ｂ】
0006354695.tif 000019
【図１１Ａ】
0006354695.tif 000020
【図１１Ｂ】
0006354695.tif 000021
【図１２】
0006354695.tif 000022
【図１３】
0006354695.tif 000023